(57)【要約】【課題】石製の扉枠石を容易に開閉できる、工夫された開閉機構を備えた墓石の提供。【解決手段】納骨室１９の納骨口２１を左右両側から囲う側壁部２３、２３に、奥方に延びたガイド部２９、２９が設けられ、そのガイド方向表側端部に被係止部３１が設けられている。また、ガイド部２９の内方に受け部３５が設けられている。扉枠石４３には一対の支持軸５１、５１が取り付けられており、各支持軸５１がガイド部２９に摺動可能に遊嵌されているので、摘み部５３の引上げ・引下げにより、扉枠石４３が回動して納骨口２１を開閉する。さらに、開いて扉枠石４３が水平になったときに摘み部５３を押せば、扉枠石４３の両側縁部が受け部３５、３５上の摺動しながら奥方に押し入れられ、開いた状態が安定的に維持される。【選択図】        図２
2014224416.tif 000002
【特許請求の範囲】
【請求項１】
納骨室の納骨口を左右両側から囲う側壁部にそれぞれ設けられ、奥方に延びたガイド部と、前記ガイド部のガイド方向表側端部に設けられた被係止部と、扉枠石の左右両側から外方にそれぞれ突出する支持軸と、前記扉枠石側に設けられた摘み部とを備え、前記支持軸が前記ガイド部に左右両側で摺動可能に遊嵌された状態で前記納骨室に前記扉枠石が取付けられており、前記摘み部を掴んで動かすと、前記支持軸が前記ガイド部内を進退摺動しながら前記扉枠石が引出し及び押入れ方向に移動し、且つ前記支持軸が前記被係止部に係止されながら前記扉枠石が前記納骨口の開閉方向に回動することを特徴とする墓石。
【請求項２】
請求項１に記載した墓石において、
ガイド部の内方側に扉枠石の縁部を摺動可能に載せる受け部が設けられていることを特徴とする墓石。
【請求項３】
請求項１または２に記載した墓石において、
石積みタイプの墓石に適用し、ガイド部が、中台石の上面に形成され、内方側が一段下がった段差面を利用して構成されていることを特徴とする墓石。
【請求項４】
請求項１から３のいずれかに記載した墓石において、
摘み部は扉枠石を回転自在に貫通する連結軸の一端側に設けられ、他端側にはロック片が取付けられ、下台石側にはロック片を受け入れるロック凹部が設けられており、前記扉枠石が納骨口を閉鎖した状態で前記摘み部を回動させると前記ロック片も共に回動して前記扉枠石から下方に突出し、前記ロック凹部に入り込んでロックされることを特徴とする墓石。
【発明の詳細な説明】
【技術分野】
【０００１】
本発明は墓石に係り、特に、納骨口の開閉機構に特徴を有する墓石に関するものである。
【背景技術】
【０００２】
伝統的な和式の墓石では、下台石、中台石、上台石および棹石が下から順に積まれており、下台石から中台石にかけて内部が中空になって納骨室が構成されている。
中台石の前面は開口して納骨口になっており、その納骨口を塞ぐように花立が下台石上に立設されている。従って、納骨室に骨壺を納める場合には、花立をずらして納骨口を開放することになるが、花立は重さもあり、特に濡れたりすると下台石に吸着してしまうので、容易には動かせない。
最近では、特許文献１に記載のように、下台石の前面で開口した納骨口に扉枠石が嵌着されたものも出ているが、扉枠石はその名の通り石製なので開き扉式では開閉は容易ではない。
【先行技術文献】
【特許文献】
【０００３】
【特許文献１】特開２００１−２７９９５５号公報
【発明の概要】
【発明が解決しようとする課題】
【０００４】
本発明は上記従来の問題点に着目して為されたものであり、石製の扉枠石を容易に開閉できるよう工夫された墓石を提供することを、その目的とする。
【課題を解決するための手段】
【０００５】
本発明は上記課題を解決するためになされたものであり、請求項１の発明は、納骨室の納骨口を左右両側から囲う側壁部にそれぞれ設けられ、奥方に延びたガイド部と、前記ガイド部のガイド方向表側端部に設けられた被係止部と、扉枠石の左右両側から外方にそれぞれ突出する支持軸と、前記扉枠石側に設けられた摘み部とを備え、前記支持軸が前記ガイド部に左右両側で摺動可能に遊嵌された状態で前記納骨室に前記扉枠石が取付けられており、前記摘み部を掴んで動かすと、前記支持軸が前記ガイド部内を進退摺動しながら前記扉枠石が引出し及び押入れ方向に移動し、且つ前記支持軸が前記被係止部に係止されながら前記扉枠石が前記納骨口の開閉方向に回動することを特徴とする墓石である。
【０００６】
請求項２の発明は、請求項１に記載した墓石において、ガイド部の内方側に扉枠石の縁部を摺動可能に載せる受け部が設けられていることを特徴とする墓石である。
【０００７】
請求項３の発明は、請求項１または２に記載した墓石において、石積みタイプの墓石に適用し、ガイド部が、中台石の上面に形成され、内方側が一段下がった段差面を利用して構成されていることを特徴とする墓石である。
【０００８】
請求項４の発明は、請求項１から３のいずれかに記載した墓石において、摘み部は扉枠石を回転自在に貫通する連結軸の一端側に設けられ、他端側にはロック片が取付けられ、下台石側にはロック片を受け入れるロック凹部が設けられており、前記扉枠石が納骨口を閉鎖した状態で前記摘み部を回動させると前記ロック片も共に回動して前記扉枠石から下方に突出し、前記ロック凹部に入り込んでロックされることを特徴とする墓石である。
【発明の効果】
【０００９】
本発明の墓石によれば、石製の扉枠石が容易に開閉できる。また、扉枠石の摘みを利用することで、開閉と共にロック及びその解除も容易にできるよう構成可能である。
【図面の簡単な説明】
【００１０】
【図１】本発明の実施の形態に係る石積み墓石の全体の斜視図である。
【図２】図１の墓石の納骨室の斜視図である。
【図３】図１の墓石の扉枠石の開閉機構を説明するための正面図及び上面図である。
【図４】図１の墓石の扉枠石の開閉機構を説明するための断面図である。
【図５】図３及び図４の墓石の扉墓石の開き動作の説明図である。
【図６】図５に続く墓石の扉墓石の開き動作の説明図である。
【発明を実施するための形態】
【００１１】
本発明の実施の形態に係る石積み墓石１を図面にしたがって説明する。
図１に示す石積み墓石１は伝統的な墓石の一つであり、下台石３、中台石５、笠石７、上台石９および棹石１１が下から順に積まれている。また、上台石９の前側には花立１３と供物台１５が設けられている。
図２に示すように、下台石３と中台石５は上下方向に貫通しており、その内面を側面とし、露出した玉砂利面１７を底面とし、笠石７の下面を天井面とする空間が納骨室１９になっており、納骨口２１から骨壺を出し入れできるようになっている。中台石５の前壁部には前後に貫通する幅広の貫通部が形成されており、その左右縁には別体ではあるが中台石５の一部をなす側壁部２３、２３がそれぞれ取り付けられている。この側壁部２３、２３の間の隙間が上記した納骨口２１となっている。
【００１２】
納骨口２１には四角形状の扉枠石４３が遊嵌されており、この扉枠石４３が開閉機構を利用して納骨口２１が容易に開閉できるようになっている。
以下、開閉機構について説明する。
上記した側壁部２３は、図１では表面２５だけが見えているが、図２に示すようにある程度の奥行がある。
側壁部２３の奥行方向に延びる側面２７に段差部が形成されて内方側の上面が低くなっている。符号２９は中間段差面を示し、この中間段差面２９は側壁部２３のその余の部分の上面より一段下がって低くなっている。中間段差面２９は奥行方向に直状に延びている。この中間段差面２９は表面２５側では途切れており、突起面３１としてその他の部分の上面と同じ高さで残されている。
【００１３】
対向する中間段差面２９、２９の内方には四角柱状の受け部材３３、３３がそれぞれ取り付けられて内方段差面３５、３５が設けられている。この内方段差面３５は中間段差面２９の上面より一段下がって低くなっている。また、前面３７も、側壁部２３の前面２５よりも後方に後退している。内方段差面３５と前面３７との境界にある角部３９は丸みが付けられて、後述する扉枠石４３の回動動作の邪魔にならないようになっている。
受け部材３３、３３どうしの間の中間部分にロック凹部４１が設けられている。このロック凹部４１は下台石３の上面を彫り込んで形成されている。ロック凹部４１は、左右方向に細長く延びた半長円形状になっており、長軸側が開口部を為している。
【００１４】
次に、扉枠石４３側について説明する。
扉枠石４３は納骨口２１を閉じたときには隙間を極力無くすために、納骨口２１より若干だけ小さくなっている。図１、図３（Ａ）に示すように、納骨口２１を閉じたときには、表面４５だけが見えているが、図３（Ｂ）、図４に示すようにある程度の厚みがある。
この扉枠石４３の表面４５と上面４７との境界にある角部４９は、図４に示すように丸みが付けられて、後述する扉枠石４３の回動動作の邪魔にならないようになっている。
扉枠石４３の左右両側面には金属製の細長い支持軸５１、５１がそれぞれ打ち込まれて固定されている。この支持軸５１は一端側が扉枠石４３の側面に固定され、他端側は遊端となって外方に突出している。左右両側の支持軸５１、５１は共に一つの水平な直線上にある。支持軸５１、５１は、扉枠石４３が納骨口２１を閉じたとき上端近くとなる位置で取り付けられている。
【００１５】
符号５３は摘み部を示し、この摘み部５３は扉枠石４３の表面４５側に設けられている。この摘み部５３は連結棒５５の一端側に取り付けられている。この連結棒５５は扉枠石４３を回転可能に厚み方向に貫通しており、他端側は裏面側に抜け出ている。連結棒５５の他端側には、ロック片５７が取り付けられている。このロック片５７は楕円の薄板状を成しており、その板面の長軸方向の一方寄りの位置に連結棒５５が取り付けられている。
摘み部５３及びロック片５７は、扉枠石４３が納骨口２１を閉じたときに下端寄りとなる位置の左右中間に取り付けられている。
摘み部５３、連結棒５５及びロック片５７は金属製となっている。
【００１６】
図３（Ａ）、（Ｂ）に示すように、中間段差面２９がガイド部となっており、そのガイド方向表側端部にある突起面３１が被係止部となっている。
扉枠石４３を墓石１に取り付けたときには、左右で支持軸５１、５１が中間段差面２９、２９に載って、その上になる笠石７との間のガイド空間に摺動可能に遊嵌された状態となっている。表側では突起面３１とその上の笠石７と閉塞されているので、支持軸５１が突起面３１に当たってそこで止められる。
【００１７】
図３（Ａ）、（Ｂ）、図４に示すのは、扉枠石４３が納骨口２１を閉じた状態であり、扉枠石４３が表面４５を前側に向けて立っており、中間段差面２９、２９に載せられた支持軸５１、５１により左右両側から支えられている。また、扉枠石４３の両側縁の裏面が受け部材３３の前面３７に背面に当たっている。
ロック片５７は扉枠石４３の下端から突出してロック凹部４１に入り込んでおり、ロック状態となっている。
【００１８】
次に、扉枠石４３を動かして納骨口２１を開く動作について、説明する。
図５（Ａ）に示すように、摘み部５３を手で掴んで回してロック片５７を回動させ、ロック凹部４１から抜け出させる。その後、図５（Ｂ）に示すように、摘み部５３を持ち上げると、支持軸５１、５１が突起面３１に当たって係止されるので、扉枠石４３が支持軸５１、５１を支点として回動して手前側に引き上げられる。
次に、図６（Ｃ）に示すように、扉枠石４３を水平になるまで引き上げて納骨口２１を開いた後、図６（Ｄ）に示すように、摘み部５３を奥方に押すと、支持軸５１、５１が中間段差面２９、２９上を、扉枠石４３の裏面の両側縁が内方段差面３５上を共に摺動しながら後退して、扉枠石４３が奥方に押し入れられる。ある程度押し入れられると、支持軸５１、５１は中断段差面２９を超えるが、扉枠石４３は内方段差面３５、３５に支持されているので、さらに押し入れられる。そして、摘み部５３が笠石７の縁に当たるとそこで止まる。この状態は、安定的に保持されるので、摘み部５３を手から放しても扉枠石４３は水平に引き上げられた状態となっている。
上記の開き動作により、納骨口２１が全開となる。
【００１９】
扉枠石４３を閉じる場合には、上記の動作とは、逆に、扉枠石４３を手前に引出した後に回動させて、納骨口２１を閉じる。更に、摘み部５３を回してロック片５７をロック凹部４１に入り込ませてロックさせる。
【００２０】
上記したように、この墓石１によれば、扉枠石４３の開閉機構が特徴的なものとなっており、片手で容易に開閉できる。
【００２１】
以上、本発明の実施の形態について詳述してきたが、具体的構成は、この実施の形態に限られるものではなく、本発明の要旨を逸脱しない範囲における設計の変更などがあっても本発明に含まれる。
例えば、墓石の形式は和式でも洋式でも特に限定されず、納骨室が地上式であればよい。
【産業上の利用可能性】
【００２２】
本発明は墓石の製造業に利用できる。
【符号の説明】
【００２３】
１…石積み墓石                  ３…下台石
５…中台石                      ７…笠石
９…上台石                    １１…棹石
１３…花立                      １５…供物台
１７…玉砂利面                  １９…納骨室
２１…納骨口                    ２３…側壁部
２５…（側壁部の）表面          ２７…（側壁部の）側面
２９…中間段差面                ３１…突起面
３３…受け部材                  ３５…（受け部材の）内方段差面
３７…（受け部材の）前面        ３９…（受け部材の）角部
４１…ロック凹部                ４３…扉枠石
４５…（扉枠石の）表面          ４７…（扉枠石の）上面
４９…（扉枠石の）角部          ５１…支持棒
５３…摘み部                    ５５…連結棒
５７…ロック片
【図１】
2014224416.tif 000003
【図２】
2014224416.tif 000004
【図３】
2014224416.tif 000005
【図４】
2014224416.tif 000006
【図５】
2014224416.tif 000007
【図６】
2014224416.tif 000008